(57)【特許請求の範囲】
【請求項１】
ロール状の記録紙が収納される記録紙収納部が形成された本体と、
この本体に回動可能に装着されて、前記記録紙収納部を水平方向に回動して開閉させる蓋体とを備え、
前記蓋体に、
前記記録紙収納部の前面を覆う部位と、
側面を覆う部位とが設けられているとともに、
前記側面を覆う部位に、前記記録紙の内周面に接触させられて前記記録紙をその軸線まわりに回転自在に支持する支持ローラが、前記記録紙の回転中心まわりに複数設けられていることを特徴とする携帯型印字装置。
【発明の詳細な説明】
【０００１】
【発明の属する技術分野】
本発明は、たとえば、商品情報をバーコード化し、このバーコードをラベル等の記録紙へ印字する印字装置に係わり、特に、使用者の腰等に装着して携帯可能な携帯型印字装置に関するものである。
【０００２】
【従来の技術】
一般に、商品等の物品に、たとえば、バーコード化した商品情報をラベル等の記録紙に印字し、この記録紙を商品へ貼付することが行われており、この記録紙への印字および発行を、商品を取り扱う現場において行うようにした携帯型印字装置が提案されている。
このような携帯型印字装置では、図３に示すように、ロール状の記録紙１を用い、このロール状の記録紙１を、装置本体２内に設けられた記録紙収納部２ａに収納し、この記録紙収納部２ａから前記記録紙１を引き出して印字部へ送り込む構成となっている。
そして、前記記録紙１は、前記記録紙収納部２ａに収納した状態において、装置本体２の内壁面に接触させられることによって支持されている。
【０００３】
【発明が解決しようとする課題】
ところで、このような携帯型印字装置にあっては、前述したように、記録紙１を装置本体２の記録紙収納部２ａの内壁面に接触させて支持するようにしていることから、記録紙１を印字部へ送り込む際のロール状の記録紙１の回転によって、記録紙１と記録紙収納部２ａの内壁面との滑りによって摩擦が発生し、この結果、記録紙１を送り込む際の負荷が大きいといった問題ある。
【０００４】
また、記録紙１の印字面がロールの外面側にある場合、印字面が、装置本体２の内壁面との摩擦によって傷つき、印字品質の低下の原因ともなりかねない。
特に、前記記録紙１が感熱記録紙である場合、前述した摩擦によって変色することも考えられる。
【０００５】
本発明は、このような従来の問題点に鑑みてなされたもので、記録紙の送り込みの際の負荷を軽減し得る携帯型印字装置を提供することを目的とする。
【０００６】
【課題を解決するための手段】
本発明の請求項１に記載の携帯型印字装置は、前述した目的を達成するために、ロール状の記録紙が収納される記録紙収納部が形成された本体と、この本体に回動可能に装着されて、前記記録紙収納部を水平方向に回動して開閉させる蓋体とを備え、前記蓋体に、前記記録紙収納部の前面を覆う部位と、側面を覆う部位とが設けられているとともに、前記側面を覆う部位に、前記記録紙の内周面に接触させられて前記記録紙をその軸線まわりに回転自在に支持する支持ローラが、前記記録紙の回転中心まわりに複数設けられていることを特徴とする。
【０００７】
【発明の実施の形態】
以下、本発明の実施の形態を、図１および図２を参照して説明する。
なお、本実施形態における主要構成部材は、図３とほぼ同様であるので、これらについては、図３を参照して説明する。
本実施形態に係わる携帯型印字装置は、図１に示すように、記録紙１が収納される記録紙収納部２ａが形成された本体２と、この本体２に回動可能に装着されて、前記記録紙収納部２ａの開閉をなす蓋体３とを備え、前記本体２には、前記記録紙１への印字を行う印字ヘッド４（図２参照）が装着され、前記蓋体３には、この蓋体３を閉位置に位置させた状態において、前記印字ヘッド４との間に前記記録紙１を挟持するプラテンローラ５が装着されている。
【０００８】
ついでこれらの詳細について説明すれば、前記記録紙１は、帯状台紙１ａと、この帯状台紙１ａの一方の面側に所定間隔をおいて仮着されたラベル１ｂとによって構成され、本実施形態においては、前記ラベル１ｂが感熱記録紙によって形成され、前記帯状台紙１ａを、円筒状の心材Ｓに巻回することによってロール状となされている。
【０００９】
前記本体２の裏面、すなわち、ベルト等に掛け止めされる側の面で、図２における左側の面には、前記本体２をベルト等に掛け止めするためのクリップ６が設けられ、また、本体２の前面には、印字後の記録紙１が排出される記録紙発行部２ｂが形成されている。
【００１０】
また、前記本体２内部で、上下方向の略中間部に前記印字ヘッド４が幅方向に沿って装着されており、この印字ヘッド４は、本実施形態においてはサーマルヘッドを示した。
そして、前記本体２の内部で、前記印字ヘッド４よりも下方側に空間部が形成されて前記記録紙収納部２ａとなされ、前記印字ヘッド４よりも上方側に、この印字ヘッド４を支持するブラケットや制御回路を含んだ制御ユニット（何れも図示略）、および、バッテリー７が装着されている。
【００１１】
前記蓋体３は、図３に示す構造例と同様に、前記本体２の記録紙収納部２ａの側部に枢着されて、本体２の幅方向、すなわち、携帯型印字装置をベルト等に掛け止めした状態において水平方向に回動させられるようになっており、前記記録収納部２ａの側面を覆う部位３ａと、前面を覆う部位３ｂとによって構成され、この側面を覆う部位３ａに、前記心材Ｓの内周面に接触させられることにより、前記ロール状に巻回された記録紙１を、その軸線まわりに回転自在に支持する支持ローラ８が回転自在に設けられている。
【００１２】
前記蓋体３を構成する側面を覆う部位３ａには、図２に示すように、前記部位３ａと略平行となるように位置決めプレート９が取り付けられており、この位置決めプレート９に前記支持ローラ８が取り付けられている。
この支持ローラ８は、本実施形態においては３個設けられており、前記心材Ｓの内側に内接するように、この心材Ｓの軸線まわりに等間隔で設置されている。
【００１３】
また、前記蓋体３の上端部には、その幅方向に間隔をおいて一対のブラケット１０（図１では一方のみ示した）が、内側へ向けて突設されており、これらのブラケット１０間に、前記プラテンローラ５が装着されている。
【００１４】
そして、このプラテンローラ５は、前記蓋体３を閉じた際に、本体２側に設けられた前記印字ヘッド４へ平行状態で接触させられるようになっている。
【００１５】
さらに、図３に示すように、前記蓋体３の回動側の端部には、本体２の内側へ向かって突設された係合片１１が突設されており、前記蓋体３を閉位置に位置させた際に、前記本体２に設けられたロック機構１２へ係合させられることにより、前記蓋体３を閉位置に保持するようになっている。
【００１６】
また、図１において符号１３は、前記プラテンローラ５を回転駆動するためのモータであり、符号１４は、このモータ１３の回転を前記プラテンローラ５へ伝達するためのギヤ群である。
【００１７】
このように構成された本実施形態に係わる携帯型印字装置は、蓋体３を開放した状態において、この蓋体３に装着されている複数の支持ローラ８に、記録紙１がロール状に巻回された心材Ｓの内面を接触させるようにして装着することによって記録紙１を装填し、この記録紙１の先端部分を前記プラテンローラ５から突出する位置まで引き出した状態で、前記蓋体３を閉じることにより、前記記録紙１の先端部分を、プラテンローラ５と印字ヘッド４との間に挟持させて、印字可能な状態にセットされる。
この状態で、裏面のクリップ６によってバンド等へ掛け止めされて携帯される。
【００１８】
そして、ラベル１ｂの発行操作が行われると、図１に示すように、本体２の記録紙発行部２ｂから、印字されたラベル１ｂが帯状台紙１ａとともに排出され、作業者は、このラベル１ｂを剥がして商品等へ貼付することができる。
【００１９】
このような記録紙１の発行操作に際して、ロール状に巻回されている記録紙１が、前記蓋体３に設けられている支持ローラ８によって支持されていることにより、この記録紙１が本体２の内面から浮いた状態に保持されているとともに、記録紙１の送り出しに伴い、前記支持ローラ８が回転させられることから、心材Ｓのその軸線まわりに円滑に回転させられる。
この結果、前記記録紙１の送り出しの負荷が大幅に軽減されるとともに、記録紙１と本体２の内壁面とのこすれが抑制されて、記録紙１の損傷や変色といった不具合の発生が抑えられて、印字品質が保たれる。
【００２０】
なお、前記実施形態において示した各構成部材の諸形状や寸法等は一例であって、設計要求等に基づき種々変更可能である。
【００２１】
【発明の効果】
本発明は以上のように構成されているので、ロール状に巻回されている記録紙を、蓋体に設けられている支持ローラによって支持することにより、この記録紙を本体の内面から浮いた状態に保持することができるとともに、記録紙の送り出し時に、支持ローラの回転によって記録紙の軸線まわりの回転を円滑に行わせることができる。
この結果、前記記録紙の送り出しの負荷を大幅に軽減することができるとともに、記録紙と本体の内壁面とのこすれを抑制して、記録紙の損傷や変色といった不具合の発生を抑え、印字品質を確保することができる。
【図面の簡単な説明】
【図１】本発明の一実施形態を示すもので、主要構成部材の位置関係を示す概略側面図である。
【図２】本発明の一実施形態を示すもので、支持ローラの取り付け部分の拡大平面図である。
【図３】携帯型印字装置の一構造例を示すもので、蓋体を開いた状態を示す外観斜視図である。
【符号の説明】
１  記録紙
１ａ  帯状台紙
１ｂ  ラベル
２  本体
２ａ  記録紙収納部
２ｂ  記録紙発行部
３  蓋体
３ａ  側面を覆う部位
３ｂ  前面を覆う部位
４  印字ヘッド
５  プラテンローラ
６  クリップ
７  バッテリー
８  支持ローラ
９  位置決めプレート
１０  ブラケット
１１  係合片
１２  ロック機構
１３  モータ
１４  ギヤ群
Ｓ  心材
【図１】
0004373543.tif 000002
【図２】
0004373543.tif 000003
【図３】
0004373543.tif 000004